(57)【特許請求の範囲】
【請求項１】
筐体の左右両側面に、一方の端が各々独立して当該筐体の直立方向の前後両方向に９０°以上回転可能で、他方の端を当該筐体の底面より上側で中心軸とし、任意の角度に回転させた位置で各々独立して固定可能にそれぞれ取り付けられた２の脚片を備え、当該２の脚片の端と当該筺体の一部が接地することで、当該筐体を接地面に対して前後方向、及び前後方向に平行な軸に対する回動方向の任意の角度に向けて設置可能とすることを特徴とする角度変化支持装置。
【請求項２】
前記筐体に撮像装置を備え、撮像方向を前後方向、及び前後方向に平行な軸に対する回動方向の任意の角度に向けることを可能とすることを特徴とする請求項１に記載の角度変化支持装置。
【請求項３】
前記脚片は表面が滑り止め加工されていることを特徴とする請求項１又は２に記載の角度変化支持装置。
【請求項４】
前記脚片は予め決められた所定の角度で固定可能なクリックを有することを特徴とする請求項１から３のいずれか一項に記載の角度変化支持装置。
【請求項５】
前記脚片の前記筐体に接続されていない他方の端がＲ形状であることを特徴とする請求項１から４のいずれか一項に記載の角度変化支持装置。
【請求項６】
前記脚片の長さは前記筐体の高さの２分の１以上であることを特徴とする請求項１から５のいずれか一項に記載の角度変化支持装置。
【請求項７】
前記脚片は前記筐体の側面を各々独立で上下に移動可能であることを特徴とする請求項１から６のいずれか一項に記載の角度変化支持装置。
【請求項８】
請求項１から７のいずれか一項に記載の角度変化支持装置を備えることを特徴とする電
子機器。
【発明の詳細な説明】
【技術分野】
【０００１】
本発明は、筐体の角度変化を支持する装置と、その角度変化支持装置を備える電子機器に関する。
【背景技術】
【０００２】
カメラにおいて、セルフタイマーを用いた撮影や長時間露光の撮影をするときは、カメラを三脚に取り付けるか、あるいは台などの上に置いて行なうのが普通であるが、三脚を使用する場合は、三脚を常に持ち運ばなくてはならないため、不便である。
そこで、三脚の脚部を引き出し可能に収容している三脚一体化ケースをカメラボディの外壁に着脱可能としたカメラが、特許文献１に開示されている。
【０００３】
また、持ち運び用のハンドルを兼用した、角度と長さを変更可能なスタンドを備えるカメラが、特許文献２に開示されている。
【先行技術文献】
【特許文献】
【０００４】
【特許文献１】特開２００４−３４７８３９号公報
【特許文献２】特開平１０−１０８０５３号公報
【発明の概要】
【発明が解決しようとする課題】
【０００５】
ところが、特許文献１によると、三脚はカメラボディの外壁に位置するため、重心バランスが悪く安定しにくい欠点がある。
一方、カメラを台などの上に置いて撮影する場合は、特に最近のデジタルカメラは薄いために前後方向に安定せず、被写体に光軸を合わせることが困難である。
加えて、三脚を内蔵すると筐体が大型化してしまうという問題がある。
【０００６】
また、特許文献２のように、薄型の筐体でも任意の角度で設置可能なスタンドを備える技術が開示されているが、前後方向への角度は変更可能であっても、左右方向への角度の変更はできず、また、接地面が力方向に対して略垂直でない斜面には設置しにくいという問題がある。
【０００７】
本発明の課題は、カメラ等の筐体を任意の角度で支えることができるようにすることである。
【課題を解決するための手段】
【０００８】
以上の課題を解決するため、請求項１に記載の発明は、筐体の左右両側面に、一方の端が各々独立して当該筐体の直立方向の前後両方向に９０°以上回転可能で、他方の端を当該筐体の底面より上側で中心軸とし、任意の角度に回転させた位置で各々独立して固定可能にそれぞれ取り付けられた２の脚片を備え、当該２の脚片の端と当該筺体の一部が接地することで、当該筐体を接地面に対して前後方向、及び前後方向に平行な軸に対する回動方向の任意の角度に向けて設置可能とすることを特徴とする。
【０００９】
請求項２に記載の発明は、請求項１に記載の角度変化支持装置であって、前記筐体に撮像装置を備え、撮像方向を前後方向、及び前後方向に平行な軸に対する回動方向の任意の角度に向けることを可能とすることを特徴とする。
【００１０】
請求項３に記載の発明は、請求項１又は２に記載の角度変化支持装置であって、前記脚片は表面が滑り止め加工されていることを特徴とする。
【００１１】
請求項４に記載の発明は、請求項１から３のいずれか一項に記載の角度変化支持装置であって、前記脚片は予め決められた所定の角度で固定可能なクリックを有することを特徴とする。
【００１２】
請求項５に記載の発明は、請求項１から４のいずれか一項に記載の角度変化支持装置であって、前記脚片の前記筐体に接続されていない他方の端がＲ形状であることを特徴とする。
【００１３】
請求項６に記載の発明は、請求項１から５のいずれか一項に記載の角度変化支持装置であって、前記脚片の長さは前記筐体の高さの２分の１以上であることを特徴とする。
【００１４】
請求項７に記載の発明は、請求項１から６のいずれか一項に記載の角度変化支持装置であって、前記脚片は前記筐体の側面を各々独立で上下に移動可能であることを特徴とする。
【００１５】
請求項８に記載の発明は、請求項１から７のいずれか一項に記載の角度変化支持装置を備える電子機器を特徴とする。
【発明の効果】
【００１６】
本発明によれば、筐体の左右側面に左右独立で前方または後方に回動させて引き出し可能に取り付けた脚片によって、筐体を任意の角度で支えることができる。
【図面の簡単な説明】
【００１７】
【図１】本発明を適用した電子機器の一実施形態の構成を示すもので、カメラの斜視図である。
【図２】図１の脚片の取付構造部の縦断面図である。
【図３】図２の変形構造例を示した図である。
【図４】脚片の使用例を示すもので、筐体を若干前傾させて設置した状態の斜視図である。
【図５】脚片の使用例を示すもので、筐体を若干後傾させて設置した状態の斜視図である。
【図６】脚片の使用例を示すもので、筐体を大きく前傾させて設置した状態の斜視図である。
【図７】脚片の使用例を示すもので、筐体を大きく後傾させて設置した状態の斜視図である。
【図８】実施形態２のカメラを示すもので、筐体を若干後傾させて設置した状態の斜視図である。
【図９】実施形態３のカメラを示すもので、筐体を若干前傾させて設置した状態の斜視図である。
【図１０】同じく、筐体を若干後傾させて設置した状態の斜視図である。
【図１１】実施形態４のカメラを示すもので、筐体を若干後傾させて設置した状態の斜視図である。
【発明を実施するための形態】
【００１８】
以下、図を参照して本発明を実施するための形態を詳細に説明する。
（実施形態１）
図１は本発明を適用した電子機器の一実施形態の構成としてカメラを示すもので、１は筐体、２は脚片、３は脚片である。
【００１９】
図示のように、筐体１の左右側面に脚片２、脚片３が取り付けられている。
【００２０】
左右の脚片２、脚片３は左右対称形状につき、代表として脚片２について説明する。
図２に示すように、脚片２の一端部側に一体の回動軸２１が、筐体１の側面に形成した穴１１に回転可能に挿入されて、筐体１が傾いても倒れない程度の摩擦抵抗を備えている。
【００２１】
なお、回動軸２１の先端には、フランジ２２が一体に形成されて、筐体１の穴１１から外れないようになっている。
また、脚片２は柔軟性のあるゴムまたはエラストマーで成形されている。
【００２２】
図３は脚片２の取付構造部の変形構造例を示したものである。
脚片２は硬質の樹脂または金属で成形されていて、図示のように、回動軸２１が筐体１の穴１１に挿入されて、ばね性のある摩擦部材４を挟んでストッパー５で固定することにより、所望の回転トルクを得ることができる。
【００２３】
筐体１の姿勢を概垂直に保持する場合は、左右の脚片２、脚片３を、図４、図５に示すとおり、筐体１の側面の下部から、一方を前方に他方を後方に回動して接地させることにより、若干前傾させて設置した状態や若干後傾させて設置した状態にして、カメラの姿勢を安定して保持することができる。
【００２４】
また、筐体１の姿勢を大きく前方に倒す場合は、図６に示すとおり、左右の脚片２、脚片３を、共に前方に回動して接地させることにより、カメラの姿勢を安定して保持することができる。
【００２５】
同様に、筐体１の姿勢を大きく後方に倒す場合は、図７に示すとおり、左右の脚片２、脚片３を、共に後方に回動して接地させることにより、カメラの姿勢を安定して保持することができる。
【００２６】
以上のように、左右の脚片２、脚片３の回動方向を使い分けることにより、カメラの姿勢を広範囲の任意の角度で保持することができる。
【００２７】
そして、三脚が不要で、携帯性に優れている。
また、簡単な脚片の構造で邪魔にならないといった利点が得られる。
【００２８】
以上において、左右の脚片２、脚片３に、ラバーコーティング等を施し、カメラ保持のための滑り止めを兼用させる。
【００２９】
そして、左右の脚片２、脚片３に、予め決められた所定の角度で固定可能なクリックを設ける。
【００３０】
また、左右の脚片２、脚片３の長さは安定性を考え、筐体１の高さの２分の１以上とする。
【００３１】
以上、実施形態のカメラによれば、筐体１の左右側面に、一端に回動軸２１のある脚片２・３が係合して、回動して他端を接地させることにより、カメラの姿勢を広範囲の任意の角度で保持することができる。
【００３２】
すなわち、筐体１の左右両側面に、一方の端が各々独立で回転可能に、当該カメラの側面に接続されるとともに任意の角度に回転させた位置で固定可能な脚片２・３であって、当該カメラを前後左右任意の角度に向けて設置可能とし、当該カメラが備えるレンズを任意の方向に向けることを可能としたことで、接地面に対して前後方向だけでなく、左右方向にも斜め向きに設置でき、更に接地面が重力方向に対して略垂直でない斜面であっても容易に設置できる。
【００３３】
また、薄型の筐体でも実現可能で、筐体の大型化も回避できる。
【００３４】
そして、脚片２・３は表面が滑り止め加工されているようにしたことで、当該カメラを保持する際の滑り止めも兼ねることができる。
【００３５】
また、各脚片２・３は、予め決められた所定の角度で固定可能なクリックを有するようにしたことで、重力方向に対して略垂直の角度等に容易に設置できる。
【００３６】
また、脚片２・３の長さを当該カメラの高さの２分の１以上であるようにすることで、当該カメラを深く寝かせるような角度で設置しても倒れにくくすることができる。
【００３７】
（実施形態２）
図８は実施形態２のカメラを示すもので、前述した実施形態１と同様、１は筐体、２・３は脚片である。
【００３８】
実施形態２では、図示のように、左右の脚片２・３の先端を、滑らかな円弧状のＲ形状２３・３３に形成している。
【００３９】
このように、脚片２・３の設置する側の端にＲ形状２３・３３を設けることで、実施形態１の脚片２・３の先端が角形状のものと比較して、安定性を高めることができる。
【００４０】
すなわち、脚片２・３の当該カメラに接続されていない他方の端がＲ形状２３・３３であるようにすることで、脚片２・３の角度によらず安定した設置を行うことができる。
【００４１】
（実施形態３）
図９は実施形態３のカメラを示すもので、前述した実施形態２と同様、１は筐体、２・３は脚片、２３・３３はＲ形状である。
【００４２】
実施形態３では、図示のように、筐体１の側面部の上部に脚片２・３をそれぞれ回動可能に取り付けている。
【００４３】
このように、筐体１の側面部の上部に脚片２・３を取り付けても、図示のように、筐体１を若干前傾させて設置した状態にしたり、図１０に示すように、若干後傾させて設置した状態にして、カメラの姿勢を脚片２・３の角度によらず安定して保持することができる。
【００４４】
（実施形態４）
図１１は実施形態４のカメラを示すもので、前述した実施形態２・３と同様、１は筐体、２・３は脚片、２３・３３はＲ形状である。
【００４５】
実施形態４では、図示のように、筐体１の側面部に形成した上下方向のスライド溝１２に、脚片２・３をそれぞれ回動可能かつ上下スライド可能に取り付けている。
【００４６】
このように、脚片２・３の取り付け位置をカメラ側面でスライド溝１２に沿って上下に移動できるようにすることで、例えば図示したように、スライド溝１２に沿って脚片２を上部に移動した位置で後方に回動させる一方、脚片３を下部位置で前方に回動させて、筐体１を若干後傾させて設置した状態に保持することができる。
【００４７】
すなわち、脚片２・３の筐体１への接続点を、筐体１の側面を各脚片独立で上下に移動可能とするようにしたことで、より大きい角度の設置が可能となるとともに、より安定した設置も可能となる。
【００４８】
（他の変形例）
以上の実施形態においては、カメラとしたが、本発明はこれに限定されるものではなく、カメラを備える携帯電話などの電子機器であってもよい。
また、脚片の形状やその取付構造等も任意であり、その他、具体的な細部構造等についても適宜に変更可能であることは勿論である。
【符号の説明】
【００４９】
１  筐体
１１  穴
１２  スライド溝
２  脚片
２１  回動軸
２２  フランジ
２３  Ｒ形状
３  脚片
３３  Ｒ形状
４  摩擦部材
５  ストッパー
【図１】
0005913797.tif 000002
【図２】
0005913797.tif 000003
【図３】
0005913797.tif 000004
【図４】
0005913797.tif 000005
【図５】
0005913797.tif 000006
【図６】
0005913797.tif 000007
【図７】
0005913797.tif 000008
【図８】
0005913797.tif 000009
【図９】
0005913797.tif 000010
【図１０】
0005913797.tif 000011
【図１１】
0005913797.tif 000012